(57)【要約】【課題】位置情報に基づいて表示した地理情報に、アンカータグでリンクして１つ以上の追加情報を提供できるようにし、地理情報を検索するユーザの利便性を向上できる、地理情報を提供可能な移動通信端末機を提供する。【解決手段】移動通信端末機は、現在の位置情報を受信するＧＰＳ受信部２１０と、受信した位置情報に基づく地理情報を表示するディスプレイ部２７０と、表示した地理情報に対応する１つ以上の追加情報を提供する制御部２５０と、を含む。【選択図】図２
2006304315.tif 000002
【特許請求の範囲】
【請求項１】
位置情報を受信するＧＰＳ受信部と、
前記受信した位置情報に基づく地理情報を表示するディスプレイ部と、
前記表示した地理情報に対応する１つ以上の追加情報を提供する制御部と、
を含んで構成されることを特徴とする地理情報を提供可能な移動通信端末機。
【請求項２】
ユーザの選択に応じて、前記追加情報を所定のサーバからダウンロードするための受信部をさらに含むことを特徴とする請求項１に記載の地理情報を提供可能な移動通信端末機。
【請求項３】
前記制御部は、前記ダウンロードした追加情報を前記ディスプレイ部を通してユーザに提供することを特徴とする請求項２に記載の地理情報を提供可能な移動通信端末機。
【請求項４】
前記地理情報及び前記追加情報を記憶するメモリをさらに含むことを特徴とする請求項１に記載の地理情報を提供可能な移動通信端末機。
【請求項５】
前記制御部は、前記メモリに記憶されている１つ以上の追加情報を所定のサーバにアップロードすることを特徴とする請求項４に記載の地理情報を提供可能な移動通信端末機。
【請求項６】
前記追加情報が、前記地理情報中の要素に関する画像ファイルであることを特徴とする請求項１に記載の地理情報を提供可能な移動通信端末機。
【請求項７】
前記追加情報が、前記地理情報にアンカータグでリンクされていることを特徴とする請求項６に記載の地理情報を提供可能な移動通信端末機。
【請求項８】
当該移動通信端末機が、携帯電話、ＰＤＡ、ノートブックコンピュータのいずれか１つであることを特徴とする請求項１に記載の地理情報を提供可能な移動通信端末機。
【請求項９】
現在の位置情報に基づいて地理情報を受信する段階と、
前記受信した地理情報を表示する段階と、
前記表示した地理情報に対応する１つ以上の追加情報をダウンロードする段階と、
を含んで構成されることを特徴とする移動通信端末機の地理情報提供方法。
【請求項１０】
前記追加情報が、前記地理情報中の要素に関する画像ファイルであることを特徴とする請求項９に記載の地理情報提供方法。
【請求項１１】
前記追加情報が、前記地理情報にアンカータグでリンクされていることを特徴とする請求項１０に記載の地理情報提供方法。
【請求項１２】
前記追加情報をダウンロードする段階が、
前記表示した地理情報に対応する１つ以上の追加情報をダウンロードするか否か確認する段階と、
該確認の結果、前記追加情報をダウンロードする場合に当該追加情報を所定のサーバに要求する段階と、
該要求に応じた追加情報をダウンロードする段階と、
を含むことを特徴とする請求項９に記載の地理情報提供方法。
【請求項１３】
現在の位置情報に基づいて地理情報を受信する段階と、
前記受信した地理情報を表示する段階と、
前記表示した地理情報に対応する１つ以上の追加情報をアップロードする段階と、
を含んで構成されることを特徴とする移動通信端末機の地理情報提供方法。
【請求項１４】
前記追加情報が、前記地理情報中の要素に関する画像ファイルであることを特徴とする請求項１３に記載の地理情報提供方法。
【請求項１５】
前記追加情報が、前記地理情報にアンカータグでリンクされることを特徴とする請求項１４に記載の地理情報提供方法。
【請求項１６】
前記追加情報をアップロードする段階が、
前記表示した地理情報に対応する１つ以上の追加情報をアップロードするか否か確認する段階と、
該確認の結果、前記追加情報をアップロードする場合に当該追加情報を所定のサーバにアップロードする段階と、
を含むことを特徴とする請求項１３に記載の地理情報提供方法。
【発明の詳細な説明】
【技術分野】
【０００１】
本発明は、移動通信（移動体通信）端末機に関し、特に、地理情報を検索するユーザの利便性を向上できる、地理情報を提供可能な移動通信端末機に関する。
【背景技術】
【０００２】
一般に、移動通信端末機は、基地局により形成されるサービスエリア内で移動しながら、ＭＳＣ（Mobile Switching Center）の交換制御により、いつどこでも直ちに相手を無線呼出及び無線接続して通信できる装置であって、音声通信（通話）だけでなく、記号、数字、文字などが含まれるデータ通信、及び画像信号が含まれるマルチメディア通信も可能である。特に、大型ディスプレイ装置と動画撮影が可能なカメラを装着した移動通信端末機の開発が活発に行われている。
【０００３】
このような移動通信端末機には、通信機能の他に、実生活に応用できて利便性の向上を図り、通信の活用性の向上を図る多様な付加サービスが開発されて提供されており、端末機メーカーから提供される付加サービスが特にユーザに人気である。
【０００４】
移動通信端末機では、このような付加サービスと共に、ＬＢＳ（Location Based Service）により地理情報が提供される。当該ＬＢＳは、移動中のユーザに対し、位置関連情報を中心に付加価値を創出できる情報を提供するサービスをいう。ＬＢＳは、移動通信技術、移動通信端末、ＧＩＳ（Geographical Information System）、ＧＰＳ（Global Position System）、ＩＴＳ（Intelligent Transport System）、及び多様なコンテンツ技術の統合技術であって、移動通信加入者数の増加が頭打ちになりつつある状況下でＬＢＳに対する移動通信事業者の関心が高まり、付加サービスとしての提供が開始され、その市場が急速に成長している。
【発明の開示】
【発明が解決しようとする課題】
【０００５】
現在出回っている地理情報を提供可能な移動通信端末機は、現在の位置情報に基づいて予め作成された地理情報のみを提供するため、地理情報を検索するユーザに対し、予め作成された地理情報の他に追加情報が提供されることはない。
【０００６】
本発明は、このような技術背景に基づいたもので、位置情報に基づいて表示した地理情報に、アンカータグでリンクして１つ以上の追加情報を提供できるようにすることにより、地理情報を検索するユーザの利便性を向上できる、地理情報を提供可能な移動通信端末機及び地理情報提供方法を提供する。
【課題を解決するための手段】
【０００７】
このような目的を達成するために、本発明による地理情報を提供可能な移動通信端末機は、位置情報を受信するＧＰＳ受信部と、その位置情報に基づく地理情報を表示するディスプレイ部と、この表示した地理情報に対応する１つ以上の追加情報を提供する制御部と、を含んで構成されることを特徴とする。
【０００８】
また、本発明による移動通信端末機の地理情報提供方法は、現在の位置情報に基づいて地理情報を受信する段階と、該受信した地理情報を表示する段階と、該表示した地理情報に対応する１つ以上の追加情報をダウンロードする段階と、を含んで構成されることを特徴とする。
【０００９】
さらに、本発明による移動通信端末機の地理情報提供方法は、現在の位置情報に基づいて地理情報を受信する段階と、該受信した地理情報を表示する段階と、該表示した地理情報に対応する１つ以上の追加情報をアップロードする段階と、を含んで構成されることを特徴とする。
【発明の効果】
【００１０】
本発明によれば、位置情報に基づいて表示した地理情報に、アンカータグでリンクして１つ以上の追加情報を提供することができ、地理情報を検索するユーザの利便性を向上できるという効果がある。
【発明を実施するための最良の形態】
【００１１】
以下、自機の位置情報に基づいて表示した地理情報に、アンカータグでリンクして１つ以上の追加情報を提供することにより、地理情報を検索するユーザの利便性を向上できる、本発明に係る移動通信端末機及び方法の好ましい実施形態について、添付した図面を参照して説明する。
【００１２】
図１は、地理情報を提供可能な移動通信端末機の属する移動通信システムの概要を示す構成図である。
【００１３】
図１に示すように、移動通信システムは、位置情報を提供する衛星（たとえばＧＰＳ衛星）１００と、これにより提供される位置情報に基づいて地理情報を要求する移動通信端末機２００と、その要求された地理情報を提供するサーバ３００と、を含む。サーバ３００は、地理情報を提供するだけでなく、当該地理情報に対応する１つ以上の追加情報、例えば、画像（静止画、動画）ファイルなどを提供でき、この追加情報は、地理情報にアンカータグでリンクできる。
【００１４】
本実施形態の移動通信端末機は、携帯電話、ＰＤＡ（Personal Digital Assistant）、ノートブックコンピュータなどとすることが可能であるが、これについて図２を参照して説明する。図２は、本発明による地理情報を提供可能な移動通信端末機の概略構成を示すブロック図である。
【００１５】
図２に示すように、本実施形態の移動通信端末機は、自機の位置情報を受信するＧＰＳ受信部２１０と、当該位置情報に基づいて地理情報を受信する受信部２２０と、当該地理情報を表示するディスプレイ部２７０と、該表示した地理情報に対応する１つ以上の追加情報を提供する制御部２５０と、当該追加情報を記憶するメモリ２６０と、その追加情報を送信する送信部２３０と、を含む。
【００１６】
このように構成された移動通信端末機は、地理情報に対応する１つ以上の追加情報を、サーバ３００からダウンロードしたり、サーバ３００にアップロードしたりすることができる。以下、これを区分して説明する。
【００１７】
まず、追加情報をダウンロードする方法について図３を参照して説明する。図３は、追加情報をダウンロードする処理を示すフローチャートである。
【００１８】
図３に示すように、追加情報をダウンロードする方法は、（衛星１００による）位置情報を受信する段階（Ｓ３１０）と、受信した位置情報に基づいて地理情報を受信する段階（Ｓ３２０）と、受信した地理情報を表示する段階（Ｓ３３０）と、表示した地理情報に対応する追加情報をダウンロードするか否かを確認する段階（Ｓ３４０）と、追加情報をダウンロードする場合に追加情報を要求する段階（Ｓ３５０）と、要求した追加情報を受信する段階（Ｓ３６０）と、受信した追加情報を表示する段階（Ｓ３７０）と、を含む。
【００１９】
以下、このような追加情報をダウンロードする過程をより詳しく説明する。
【００２０】
まず、移動通信端末機２００は、今現在の位置情報を受信する（Ｓ３１０）。すなわち、ＧＰＳ受信部２１０が、衛星１００から位置情報を受信し、当該位置情報を制御部２５０に出力する。
【００２１】
その後、移動通信端末機２００は、受信した位置情報に基づいて地理情報を受信する（Ｓ３２０）。すなわち、制御部２５０が、取得した位置情報を送信部２３０を介してサーバ３００に送り、サーバ３００は、その位置情報に対応する地理情報を検索し、該当する（位置情報周辺を表した所定縮尺の）地理情報を移動通信端末機２００に送る。ここでのサーバ３００は、ＬＢＳサーバを意味する。
【００２２】
その後、移動通信端末機２００は、受信した地理情報を表示する（Ｓ３３０）。すなわち、制御部２５０は、受信した地理情報をメモリ２６０に記憶し、そしてディスプレイ部２７０に表示する。このときに制御部２５０は、表示した地理情報にアンカータグでリンクされた１つ以上の追加情報があることをディスプレイ部２７０に示すことができ、その追加情報は、たとえば、地理情報中の要素をより視覚的に示す画像（写真やビデオ）ファイルとすることが可能である。
【００２３】
その後、移動通信端末機２００は、表示した地理情報に対応する追加情報をダウンロードするか否かを確認する（Ｓ３４０）。その結果、追加情報をダウンロードする場合、移動通信端末機２００は、追加情報を要求するメッセージをサーバ３００に送信し（Ｓ３５０）、サーバ３００は、そのメッセージに基づいて追加情報を検索し、該当する追加情報を移動通信端末機２００に送信する。
【００２４】
その後、移動通信端末機２００は、サーバ３００から追加情報を受信し（Ｓ３６０）、当該追加情報を表示する（Ｓ３７０）。すなわち、制御部２５０は、追加情報をメモリ２６０に記憶し、そしてディスプレイ部２７０に表示する。なお、ディスプレイ部２７０は、ＬＣＤ（Liquid Crystal Display）である。
【００２５】
次に、追加情報をアップロードする方法について図４を参照して説明する。図４は、追加情報をアップロードする処理を示すフローチャートである。
【００２６】
図４に示すように、追加情報をアップロードする方法は、（衛星１００による）位置情報を受信する段階（Ｓ４１０）と、受信した位置情報に基づいて地理情報を受信する段階（Ｓ４２０）と、その地理情報を表示する段階（Ｓ４３０）と、当該地理情報に対応する追加情報をアップロードするか否かを確認する段階（Ｓ４４０）と、追加情報をアップロードする場合に当該追加情報を送信する段階（Ｓ４５０）と、を含む。
【００２７】
以下、このような追加情報をアップロードする過程につきより詳しく説明する。
【００２８】
まず、移動通信端末機２００は、現在の位置情報を受信する（Ｓ４１０）。すなわち、ＧＰＳ受信部２１０が、衛星１００から位置情報を受信し、当該位置情報を制御部２５０に出力する。
【００２９】
その後、移動通信端末機２００は、受信した位置情報に基づいて地理情報を受信する（Ｓ４２０）。すなわち、制御部２５０が、取得した位置情報を送信部２３０からサーバ３００に送り、サーバ３００は、その位置情報に対応する地理情報を検索し、該当する（位置情報周辺を表した所定縮尺の）地理情報を移動通信端末機２００に送る。
【００３０】
その後、移動通信端末機２００は、受信した地理情報を表示する（Ｓ４３０）。すなわち、制御部２５０は、サーバ３００から受信した地理情報をメモリ２６０に記憶し、そしてディスプレイ部２７０に表示する。
【００３１】
その後、移動通信端末機２００は、表示した地理情報に対応する追加情報をアップロードするか否かを確認する（Ｓ４４０）。その結果、追加情報をアップロードする場合、移動通信端末機２００は、メモリ２６０に記憶されている１つ以上の追加情報をサーバ３００に送信し（Ｓ４５０）、サーバ３００は、その送られてきた追加情報を保存（所定のデータベース等）し、当該保存した追加情報を地理情報にアンカータグでリンクさせるよう設定する。
【００３２】
アップロードする追加情報は、たとえば、移動通信端末機に備えられたカメラにより撮影された画像データや音声、音楽データであったりする。
【図面の簡単な説明】
【００３３】
【図１】本発明に係る移動通信端末機が加入する移動通信システムの例を示す概略構成図である。
【図２】本発明による地理情報を提供可能な移動通信端末機の要部構成を示すブロック図である。
【図３】追加情報をダウンロードする場合の処理過程を示すフローチャートである。
【図４】追加情報をアップロードする場合の処理過程を示すフローチャートである。
【符号の説明】
【００３４】
１００  衛星（ＧＰＳ衛星）
２００  移動通信端末機
２１０  ＧＰＳ受信部
２２０  受信部
２３０  送信部
２４０  入力部
２５０  制御部
２６０  メモリ
２７０  ディスプレイ部
３００  サーバ
【図１】
2006304315.tif 000003
【図２】
2006304315.tif 000004
【図３】
2006304315.tif 000005
【図４】
2006304315.tif 000006